(57)【要約】【課題】電子ペーパへの手書きでの記入を容易に行うことができ、手書きで記入された内容の電子化を簡易な構成で実現できる。【解決手段】文書が書き込まれた状態の電子ペーパに対して手書きで記入された内容を電子化するにあたり、読取対象の電子ペーパを光学的に読み取る（２３２）ことで読取イメージを取得すると共に、読取対象の電子ペーパに書き込まれている文書の情報を管理センタから取得し（２３４〜２３８）、取得した文書情報と該文書情報が表す文書書込時の書込条件に基づいて読取イメージ上での文書の表示イメージを作成し（２４０）、読取イメージと文書の表示イメージを画素単位で比較し、読取イメージの各画素のうち、文書の書き込みに伴って濃度が変化しており手書き用ペンのインクが付着していない部分に相当する画素についてのみ濃度を置き換える（２４２〜２４８）ことで、手書きで記入された内容を表す手書きイメージを分離・抽出する。【選択図】          図６
2004234050.tif 000002
【特許請求の範囲】
【請求項１】
予め記録された第１の画像を表示している状態で手書きによる記入がされた電子ペーパを光学的に読み取る読取手段と、
前記第１の画像を認識する認識手段と、
前記認識手段による前記第１の画像の認識結果に基づき、前記読取手段による読取結果から、前記手書きにより記入された内容を表す第２の画像の画像データを抽出する抽出手段と、を含む電子ペーパ読取装置。
【請求項２】
前記認識手段は、前記第１の画像の画像データを取得することで前記第１の画像を認識し、
前記抽出手段は、前記認識手段によって取得された画像データに基づいて前記読取手段による読取結果上での第１の画像を推定し、前記読取結果が表す画像から前記推定した第１の画像を除去することで前記第２の画像の画像データを抽出することを特徴とする請求項１記載の電子ペーパ読取装置。
【請求項３】
前記電子ペーパには、第１の画像の画像データ又は該画像データの格納場所を識別するための識別情報が記録されており、
前記認識手段は、前記電子ペーパから前記画像データを読み出すことで前記画像データを取得するか、又は前記電子ペーパから読み出した識別情報に基づいて前記画像データの格納場所を識別し、識別した格納場所から前記画像データを取得することを特徴とする請求項２記載の電子ペーパ読取装置。
【請求項４】
前記抽出手段は、前記読取結果が表す画像の各画素のうち、前記推定した第１の画像に相当し、かつ前記推定した第１の画像の対応する画素との濃度差が所定値未満の画素、又は、濃度が前記推定した第１の画像に基づいて定めた濃度範囲内の画素の濃度を、画像が記録されていない状態での濃度に置き換えることで、前記推定した第１の画像の除去を行うことを特徴とする請求項２記載の電子ペーパ読取装置。
【請求項５】
予め記録された第１の画像を表示している状態で手書きによる記入がされた電子ペーパに対し、前記第１の画像の表示を消去させる消去制御手段と、
前記消去制御手段によって第１の画像の表示が消去された電子ペーパを光学的に読み取ることで、前記手書きにより記入された内容を表す第２の画像の画像データを取得する読取手段と、を含む電子ペーパ読取装置。
【請求項６】
予め記録された第１の画像を表示している状態で手書きによる記入がされた電子ペーパを読取手段によって光学的に読み取る電子ペーパ読取装置であって、
前記手書きによる記入は、電子ペーパ上の第１の画像が記録された部分と第１の画像が記録されていない部分の反射率又は発光エネルギーの相違が所定値未満となる所定の波長域において、電子ペーパと反射率が相違する特性を有するインクを用いて為され、前記読取手段は、前記所定の波長域に感度を有するセンサによって電子ペーパを光学的に読み取ることで、前記手書きにより記入された内容を表す第２の画像の画像データを取得することを特徴とする電子ペーパ読取装置。
【請求項７】
手書きによる記入がされた電子ペーパを識別するための識別情報を認識し、得られた前記第２の画像の画像データを前記識別情報と対応付けて管理する管理手段を更に備えたことを特徴とする請求項１、請求項５及び請求項６の何れか１項記載の電子ペーパ読取装置。
【請求項８】
前記電子ペーパの向き又は前記第１の画像の向きと前記第２の画像の向きとの関係を検知する検知手段を更に備え、
前記管理手段は、検知手段によって検知された関係に基づき、前記第１の画像及び前記第２の画像を電子ペーパに記録する場合に両画像の向きを揃えることが可能なように、前記第２の画像の画像データを管理することを特徴とする請求項７記載の電子ペーパ読取装置。
【発明の詳細な説明】
【０００１】
【発明の属する技術分野】
本発明は電子ペーパ読取装置に係り、特に、電子ペーパに手書きにより記入された内容を読み取る電子ペーパ読取装置に関する。
【０００２】
【従来の技術】
近年、新たな記録メディアとして、任意の画像（文字から成る画像であってもよい）を記録可能で一旦記録した画像を書き替え可能という特徴を有する電子ペーパ（デジタルペーパともいう）が注目されるようになってきている。電子ペーパは紙に代わる媒体としても期待されているが、紙は、一旦画像が記録された後でも、鉛筆やボールペン等の任意の筆記具により手書きで文字等を追記可能という特長を有しており、電子ペーパを紙に代わる媒体として利用するためには、紙と同様に、既に画像が記録されている電子ペーパに、文字や図形等を手書きで電子ペーパに記入することを可能にする必要があると共に、手書きで記入された内容を電子化することで手書きで記入された内容を画像として電子ペーパに表示する等の再利用を可能とすることが望ましい。
【０００３】
電子ペーパに手書きで記入された内容を電子化するための技術は従来より提案されており、例えば特許文献１には、電磁誘導式のデジタイザ（タブレット）上に固定された電子ペーパ上に電磁／発熱ペンによって加筆入力された場合に、加筆後の内容をデジタイザによって電子化すると共に、電子化によって得られた加筆情報を、個々の文書を識別するためのＩＤ情報と関連付けて記憶する情報処理装置が開示されている。
【０００４】
【特許文献１】
特開２０００−１１２６４６号公報
【０００５】
【発明が解決しようとする課題】
しかしながら、特許文献１に記載の技術では、電子ペーパへの手書きでの記入及び手書きで記入された内容を電子化することを可能とするために、電磁誘導式のデジタイザと、手書きで記入しているときに電磁波を放射しかつ発熱する電磁／発熱ペンという特別なデバイスが必要になる、という欠点がある。また、電子ペーパに手書きで記入を行う場合に、電子ペーパをデジタイザ上の定位置に固定する必要もあり、使い勝手が悪いという問題もある。また、電磁／発熱ペンは電力を消費するデバイスであるので、バッテリ切れによって加筆不能となることを回避するために、バッテリ残量を常に意識して使用する必要もある。
【０００６】
本発明は上記事実を考慮して成されたもので、電子ペーパへの手書きでの記入を容易に行うことができ、手書きで記入された内容の電子化を簡易な構成で実現できる電子ペーパ読取装置を得ることが目的である。
【０００７】
【課題を解決するための手段】
上記目的を達成するために請求項１記載の発明に係る電子ペーパ読取装置は、予め記録された第１の画像を表示している状態で手書きによる記入がされた電子ペーパを光学的に読み取る読取手段と、前記第１の画像を認識する認識手段と、前記認識手段による前記第１の画像の認識結果に基づき、前記読取手段による読取結果から、前記手書きにより記入された内容を表す第２の画像の画像データを抽出する抽出手段と、を含んで構成されている。
【０００８】
請求項１記載の発明では、予め記録された第１の画像を表示している状態で手書きによる記入がされた電子ペーパが読取手段によって光学的に読み取られる。このように、請求項１記載の発明では、電子ペーパが光学的に読み取られることで、手書きにより電子ペーパに記入された内容が電子化されるので、電子ペーパへの手書きによる記入に際し、記入部分の光学特性（例えば光反射率等）に変化を与える器具、例えば媒体にインクを付着させて記入する構成のペン等のごく一般的な筆記具を用いることができ、電磁／発熱ペン等の特殊なデバイスを用いる必要がなくなる。
【０００９】
また、電子ペーパを光学的に読み取ることで、デジタイザを用いて読み取りを行う場合のように、手書きにより記入された内容を読み取るタイミングが電子ペーパへの記入時に制限されず、手書きによる記入が完了した後に読み取りを行うことができるので、電子ペーパへの手書きによる記入に際して電子ペーパをデジタイザ上の定位置に固定する必要もない。従って、電子ペーパへの手書きでの記入を容易に行うことができる。
【００１０】
また、請求項１記載の発明に係る読取手段は、第１の画像が記録された電子ペーパに手書きによる記入がされた電子ペーパを読み取るので、読取手段による読取結果は、手書きにより記入された内容が第１の画像に重ね合わされた画像を表している。このため、請求項１記載の発明では、電子ペーパに記録された第１の画像を認識手段によって認識し、抽出手段は、認識手段による第１の画像の認識結果に基づき、読取手段による読取結果から、手書きにより記入された内容を表す第２の画像の画像データを抽出する。
【００１１】
請求項１記載の発明に係る読取手段としては、スキャナ等の一般的な読取手段を用いることができるので、請求項１記載の発明では、手書きにより記入された内容の電子化に際してデジタイザ等の特殊なデバイスを用いる必要もない。従って、請求項１記載の発明によれば、電子ペーパへの手書きでの記入を容易に行うことができ、手書きで記入された内容の電子化を簡易な構成で実現することができる。
【００１２】
なお、請求項１記載の発明において、第２の画像の画像データの抽出は、例えば請求項２に記載したように、認識手段は第１の画像の画像データを取得することで第１の画像を認識し、抽出手段は、認識手段によって取得された画像データに基づいて読取手段による読取結果上での第１の画像を推定し、読取結果が表す画像から前記推定した第１の画像を除去することで行うことができる。請求項２記載の発明における第１の画像の推定には、電子ペーパへの第１の画像の記録に際し、第１の画像の拡大／縮小や記録位置の調整等の処理が行われた場合に、第１の画像の元の画像データから電子ペーパに記録されている第１の画像を推定する処理が含まれ、これらの処理は、電子ペーパに第１の画像がどのように記録されたかを表す情報に基づいて行うことができる。請求項２記載の発明では、読取結果上での第１の画像を推定し、読取結果が表す画像から推定した第１の画像を除去することで、手書きにより記入された内容を精度良く表す第２の画像の画像データを取得することができる。
【００１３】
また、電子ペーパには、第１の画像の画像データ又は該画像データの格納場所を識別するための識別情報（例えば画像データが所定の記憶媒体（例えばサーバに接続された記憶媒体）に記憶されている態様において、記憶アドレスを表す情報や画像データと対応付けて記憶されている情報等）が記録されていることが好ましい。これらの情報は、１次元又は２次元のバーコード等の形態で電子ペーパに光学的に記録されていてもよいし、電子ペーパに付加されたＩＣチップ等の情報記録部に記録されていてもよい。
【００１４】
請求項２記載の発明において、電子ペーパに上記の画像データ又は識別情報が記録されている場合、認識手段は、例えば請求項３に記載したように、電子ペーパから画像データを読み出すことで画像データを取得するか、又は電子ペーパから読み出した識別情報に基づいて画像データの格納場所を識別し、識別した格納場所から画像データを取得するように構成することができる。
【００１５】
また、請求項２記載の発明において、読取結果が表す画像から前記推定した第１の画像を除去することは、例えば請求項４に記載したように、読取結果が表す画像の各画素のうち、推定した第１の画像に相当する画素の濃度を、画像が記録されていない状態での濃度に置き換えることで実現できるが、読取結果が表す画像の各画素のうち第１の画像に相当する全ての画素の濃度を単に置き換えたとすると、読取結果が表す画像から推定した第１の画像を除去することで抽出される第２の画像のうち手書きで記入された内容が第１の画像と重なっている部分において、手書きで記入された内容が消失することになる。
【００１６】
上記を考慮すると、請求項４に記載したように、読取結果が表す画像の各画素のうち、推定した第１の画像に相当し、かつ推定した第１の画像の対応する画素との濃度差が所定値未満の画素、又は、濃度が推定した第１の画像に基づいて定めた濃度範囲内の画素の濃度を、画像が記録されていない状態での濃度に置き換えることで、推定した第１の画像の除去を行うことが好ましい。これにより、手書きで記入された内容が第１の画像と重なっている部分に相当する画素を、濃度置き換えの対象から除外することができ、読取結果が表す画像から第１の画像を除去することで第２の画像を抽出するに際し、抽出した第２の画像から手書きで記入された内容の消失が生ずることを回避することができる。
【００１７】
請求項５記載の発明に係る電子ペーパ読取装置は、予め記録された第１の画像を表示している状態で手書きによる記入がされた電子ペーパに対し、前記第１の画像の表示を消去させる消去制御手段と、前記消去制御手段によって第１の画像の表示が消去された電子ペーパを光学的に読み取ることで、前記手書きにより記入された内容を表す第２の画像の画像データを取得する読取手段と、を含んで構成されている。
【００１８】
請求項５記載の発明では、予め記録された第１の画像を表示している状態で手書きによる記入がされた電子ペーパに対し、消去制御手段によって第１の画像の表示が消去される。これにより、電子ペーパは、手書きにより記入された内容のみを表示している状態になる。なお、消去制御手段による表示の消去には、第１の画像に代えて濃度及び色が均一の所定の画像を表示させる処理も含まれる。第１の画像に代えて所定の画像を表示させる場合、該所定の画像は手書きにより記入された内容の背景となるので、所定の画像の濃度及び色は、手書きにより記入された内容の読取手段による読み取りが容易となるように定めることができる（例えば電子ペーパが自発光型であれば、背景が低輝度となるように所定の画像の濃度及び色を定める等）。そして読取手段は、消去制御手段によって第１の画像の表示が消去された電子ペーパを光学的に読み取ることで、手書きにより記入された内容を表す第２の画像の画像データを取得する。
【００１９】
このように、請求項５記載の発明においても、電子ペーパが光学的に読み取られることで手書きにより記入された内容が電子化されるので、電子ペーパへの手書きによる記入に際し、記入部分の光学特性に変化を与える器具、例えば媒体にインクを付着させて記入するためのペン等のごく一般的な筆記具を用いることができ、電磁／発熱ペン等の特殊なデバイスを用いる必要がなくなる。また、手書きによる記入が完了した後に読み取りを行うことができるので、電子ペーパへの手書きによる記入に際して電子ペーパをデジタイザ上の定位置に固定する必要もない。従って、電子ペーパへの手書きでの記入を容易に行うことができる。
【００２０】
また、請求項５記載の発明に係る読取手段は、手書きにより記入された内容のみを表示している状態の電子ペーパを光学的に読み取るので、読取手段による読取結果は、手書きにより記入された内容を表す第２の画像を表しており、読取手段による読み取りによって第２の画像の画像データを取得することができる。請求項５記載の発明に係る読取手段としても、スキャナ等の一般的な読取手段を用いることができるので、請求項５記載の発明においても、手書きにより記入された内容の電子化に際してデジタイザ等の特殊なデバイスを用いる必要もない。従って、請求項５記載の発明によれば、電子ペーパへの手書きでの記入を容易に行うことができ、手書きで記入された内容の電子化を簡易な構成で実現することができる。
【００２１】
請求項６記載の発明に係る電子ペーパ読取装置は、予め記録された第１の画像を表示している状態で手書きによる記入がされた電子ペーパを読取手段によって光学的に読み取る電子ペーパ読取装置であって、前記手書きによる記入は、電子ペーパ上の第１の画像が記録された部分と第１の画像が記録されていない部分の反射率又は発光エネルギーの相違が所定値未満となる所定の波長域において、電子ペーパと反射率が相違する特性を有するインクを用いて為され、前記読取手段は、前記所定の波長域に感度を有するセンサによって電子ペーパを光学的に読み取ることで、前記手書きにより記入された内容を表す第２の画像の画像データを取得することを特徴としている。
【００２２】
請求項６記載の発明では、電子ペーパ上の第１の画像が記録された部分と第１の画像が記録されていない部分の反射率（電子ペーパが反射型の場合）又は発光エネルギー（電子ペーパが自発光型の場合）の相違が所定値未満となる所定の波長域（通常は可視域外の波長域）において、電子ペーパと反射率が相違する特性を有するインクを用いて電子ペーパへの手書きによる記入が為される。請求項６記載の発明では、上記のインクを用いて手書きによる記入がされた電子ペーパが読取手段によって光学的に読み取られる。
【００２３】
このように、請求項６記載の発明においても、電子ペーパが光学的に読み取られることで手書きにより記入された内容が電子化されるので、電子ペーパへの手書きによる記入に際し、インク自体は一般的ではないものの、媒体にインクを付着させて記入するペン等の一般的な構成の筆記具を用いることができ、電磁／発熱ペン等の特殊なデバイスを用いる必要がなくなる。また、手書きによる記入が完了した後に読み取りを行うことができるので、電子ペーパへの手書きによる記入に際して電子ペーパをデジタイザ上の定位置に固定する必要もない。従って、電子ペーパへの手書きでの記入を容易に行うことができる。
【００２４】
また、請求項６記載の発明に係る読取手段は、所定の波長域に感度を有するセンサによって電子ペーパを光学的に読み取るので、読取手段による読取結果は、手書きにより記入された内容を表す第２の画像を表しており、読取手段による読み取りによって第２の画像の画像データを取得することができる。また、請求項６記載の発明に係る読取手段は、センサの感度域自体は一般的ではないものの、スキャナ等の一般的な構成の読取手段を適用できるので、請求項６記載の発明においても、手書きにより記入された内容の電子化に際してデジタイザ等の特殊なデバイスを用いる必要もない。従って、請求項６記載の発明においても、電子ペーパへの手書きでの記入を容易に行うことができ、手書きで記入された内容の電子化を簡易な構成で実現することができる。
【００２５】
請求項７記載の発明は、請求項１，５，６の何れかに記載の発明において、手書きによる記入がされた電子ペーパを識別するための識別情報を認識し、得られた第２の画像の画像データを識別情報と対応付けて管理する管理手段を更に備えたことを特徴としている。
【００２６】
請求項７記載の発明では、手書きによる記入がされた電子ペーパを識別するための識別情報が管理手段によって認識される。この識別情報は、例えば予め個々の電子ペーパに記録しておき、手書きによる記入がされた電子ペーパに記録されている識別情報を読み取ることで認識することができるが、これに代えて、第２の画像の画像データが得られた際に識別情報を付与し、付与した識別情報を対応する電子ペーパに記録するようにしてもよい。
【００２７】
そして管理手段は、得られた第２の画像の画像データを識別情報と対応付けて管理する。これにより、例えば各々手書きで記入がされた複数の電子ペーパを各々光学的に読み取ることで得られた複数の第２の画像の画像データを各々管理する場合にも、所望の第２の画像に対応する識別情報をキーとして用いて検索することで、所望の第２の画像の画像データを容易に抽出することができ、抽出された画像データが表す第２の画像（手書きで記入された内容）を電子ペーパに画像として表示する等の再利用を容易に行うことができる。
【００２８】
また、請求項７記載の発明において、例えば請求項８に記載したように、電子ペーパの向き又は第１の画像の向きと第２の画像の向きとの関係を検知する検知手段を更に備え、管理手段は、検知手段によって検知された関係に基づき、第１の画像及び前記第２の画像を電子ペーパに記録する場合に両画像の向きを揃えることが可能なように、第２の画像の画像データを管理することが望ましい。
【００２９】
電子ペーパの向きと第２の画像の向きとの関係は、例えば電子ペーパの向きを表すマーク（例えば電子ペーパの上下方向や左右方向を指し示すマーク）等を電子ペーパに記録しておき、電子ペーパを光学的に読み取る際に前記マーク等も併せて読み取り、読取結果に含まれるマーク等に基づいて電子ペーパの向きを検知し、検知した電子ペーパの向きを基準として、読み取りによって得られた第２の画像の向きを判断することで検知できる。また、第１の画像の画像データ又は該画像データの格納場所を識別するための識別情報を電子ペーパに記録する態様において、電子ペーパの向きを判断可能な一定の位置（電子ペーパの中央から偏倚した位置）に前記情報を記録しておき、前記情報を読み取る際に前記情報の記録位置も検知することで、電子ペーパの向きを検知することも可能である。
【００３０】
また、第１の画像の向きと第２の画像の向きの関係についても、例えば電子ペーパに第１の画像を記録する際に電子ペーパの向きを検知し、電子ペーパの向きを基準とする第１の画像の向きを検知・記録しておき、手書きによる記入がされた電子ペーパを光学的に読み取る際に電子ペーパの向きを検知すると共に、検知・記録した電子ペーパの向きを基準とする第１の画像の向きに基づいて第１の画像の向きを検知し、検知した第１の画像の向きを基準として、読み取りによって得られた第２の画像の向きを判断することで検知することができる。
【００３１】
請求項８記載の発明では、検知手段によって検知された関係に基づき、第１の画像及び第２の画像を電子ペーパに記録する場合に両画像の向きを揃えることが可能なように、第２の画像の画像データを管理する（例えば検知手段によって検知された関係を表す情報を記憶しておく、或いは、検知された関係に応じて第２の画像の画像データに回転処理等を施した後に記憶する）ので、手書きにより記入された内容を表す第２の画像を電子ペーパに画像として記録することで再表示する等の場合にも、手書きによる記入が行われた際と同じ向きで電子ペーパに表示することができる。
【００３２】
【発明の実施の形態】
以下、図面を参照して本発明の実施形態の一例を詳細に説明する。
【００３３】
〔第１実施形態〕
図１には本実施形態に係る電子ペーパ管理装置１０が示されている。電子ペーパ管理装置１０は、電子ペーパ１２への文書（画像）の書き込み、電子ペーパに書き込まれた文書や手書きで記入された内容の読み取り、電子ペーパ１２への書き込みや読み取りのための電子ペーパの管理を行うための装置であり、本発明に係る電子ペーパ読取装置としての機能を備えている。電子ペーパ管理装置１０には、画像データを入力する入力装置としてメディアドライブ１４、画像データ受信装置１６及びスキャナ１８が各々接続されている。
【００３４】
メディアドライブ１４には、例えばフレキシブルディスク（ＦＤ）等の磁気ディスクやＣＤ−Ｒ等の光ディスク、光磁気ディスク（ＭＯ）、デジタルスチルカメラ（ＤＳＣ）に装填可能なスマートメディア（Ｒ）、コンパクトフラッシュ（Ｒ）、メモリスティック（Ｒ）等の各種情報記憶媒体の何れかがセットされる。セットされた情報記憶媒体には電子ペーパに書き込むべき文書を表す文書情報が記憶されている。なお、本実施形態に係る電子ペーパ管理装置１０は任意の内容の文書を電子ペーパ１２に書き込み可能とされており、例えばテキストデータや画像データ（詳しくはビットマップやベクトルデータ）等、任意の形式のデータを文書情報として扱うことができる。メディアドライブ１４は、情報記憶媒体に記憶されている文書情報を読み出し、必要に応じて所定の処理（例えば読み出した文書情報が圧縮された画像データである場合の解凍等）を行って出力する。
【００３５】
また、画像データ受信装置１６は、インターネット等のコンピュータネットワークに接続されており、電子ペーパ１２に書き込むべき文書を表す文書情報を、コンピュータネットワークを介して情報処理装置（例えばパーソナルコンピュータ（ＰＣ））から受信し、受信した文書情報に対し必要に応じて所定の処理（例えば文書情報が圧縮された画像データである場合の解凍等）を行って出力する。
【００３６】
また、スキャナ１８は電子ペーパ１２に書き込むべき文書（例えば画像）が記録された写真フィルム等の透過原稿又は紙等の反射原稿に光を照射し、原稿を透過又は反射した光をＣＣＤ等の読取センサにより光電変換してデジタルのビットマップ画像データへ変換し、所定の画像処理（例えば暗補正や濃度変換、シェーディング補正、欠陥画素補正等）を行い文書情報として出力する。
【００３７】
これらの入力装置は電子ペーパ管理装置１０の文書メモリ２０に接続されており、何れかの入力装置から電子ペーパ管理装置１０へ入力された文書情報は文書メモリ２０に記憶される。また、文書メモリ２０には制御部２２及び記録部２４が接続されている。
【００３８】
制御部２２は、ＣＰＵ，ＲＯＭ，ＲＡＭ，入出力ポートがバスを介して互いに接続されて成るマイクロコンピュータを含んで構成されている。また、制御部２２は不揮発性の記憶部（例えばハードディスクドライブ、ＥＥＰＲＯＭ、バックアップ電源に接続されたＲＡＭ等）２２Ａを備えている。記憶部２２Ａには、後述する文書書込処理や手書き内容読取処理を実行するための文書書込プログラムや手書き内容読取処理プログラムが各々記憶されている。
【００３９】
また、制御部２２には搬送部３０が接続されている。図示は省略するが、電子ペーパ管理装置１０には電子ペーパ１２を機体内へ挿入するための挿入口が設けられており、挿入口を介して電子ペーパ１２が機体内へ挿入されたことを検知するための挿入検知センサも設けられている。挿入検知センサにより電子ペーパ１２が挿入されたことが検知されると、搬送部３０は、制御部２２の指示に基づき、挿入された電子ペーパ１２を機体内奥側（記録部２４や読取部２６が配置されている位置）へ向けて搬送する。
【００４０】
電子ペーパ１２への文書の書き込みに際し、制御部２２は書込対象の電子ペーパ１２に書き込むべき文書を表す文書情報を文書メモリ２０から読み出し、読み出した文書情報に基づいて文書の書込イメージ（例えばビットマップデータ）を生成し、文書メモリ２０に記憶させる。記録部２４は制御部２２の指示により作動し、書込対象の電子ペーパ１２が記録部２４の配置位置へ搬送されると、書込対象の電子ペーパ１２へ書き込むべき文書に対応する書込イメージを文書メモリ２０から読み出し、読み出した書込イメージに基づいて所定の記録方式により電子ペーパ１２へ文書を書き込む。
【００４１】
なお、記録部２４による電子ペーパ１２への文書の記録方式としては、電子ペーパ管理装置１０が書込対象とする電子ペーパ１２の種類に応じた記録方式を採用すればよい。例えば書込対象の電子ペーパ１２がコレステリック液晶を用いた光書き込み型の電子ペーパである場合には、記録部２４による記録方式として、画素単位で変調した光を電子ペーパへ照射することで文書を書き込む記録方式を採用することができ、また例えば書込対象の電子ペーパ１２が電気泳動を利用した電子ペーパである場合には、記録部２４による記録方式として、電子ペーパ１２に設けられた電極に電圧を印加することで文書を書き込む記録方式を採用することができる。
【００４２】
また、記録部２４は電子ペーパ１２に一旦書き込んだ文書を消去する機能と、電子ペーパ１２に文書以外の任意の属性情報（例えば後述する管理情報や書込履歴情報等）を記録する機能も備えている。この属性情報は、例えば文書の記録方式と同じ記録方式により光学的に記録することができる。光学的に記録する場合、例えば一次元或いは二次元のバーコード等のようにコード化した形態で記録するようにしてもよいし、文字として記録するようにしてもよい。また、電子ペーパにＩＣチップを付加し、このＩＣチップに属性情報を記録するようにしてもよい。
【００４３】
なお、属性情報を光学的に記録する場合、属性情報は電子ペーパ１２上の画像記録範囲から外れた部位に記録されることが望ましく、視認が困難でかつ後述する読取部２６による読み取りが容易な光学特性を有するインク等を用いて記録されることが好ましい。また、ＩＣチップへの情報の記録には、電磁誘導や無線を利用して非接触で行う方式と、ＩＣチップのコネクタを介してＩＣチップに情報を入力することで記録する接触方式があるが、何れの方式を採用してもよい。
【００４４】
なお、本実施形態に係る電子ペーパ１２には、個々の電子ペーパを区別するための個体番号が製造時に予め記録されている。この個体番号も上記の何れかの記録方式で記録することができるが、後述する読取部２６の構成の複雑化を回避するためには、記録部２４は、電子ペーパ１２への個体番号の記録方式と同じ記録方式で電子ペーパ１２へ属性情報を記録する構成であることが好ましい。
【００４５】
また、制御部２２には、電子ペーパ１２に書き込まれた文書や手書きで記入された内容、属性情報、個体番号を読み取り可能な読取部２６が接続されている。読取部２６は電子ペーパ１２に光を照射し、電子ペーパ１２を反射（或いは透過）した光をＣＣＤ等の読取センサによって光電変換し、更にデジタルデータへ変換することで、電子ペーパ１２に書き込まれた文書や手書きで記入された内容を表す画像データを生成し、制御部２２へ出力する。
【００４６】
また、読取部２６のうち属性情報や個体番号を読み取る部分の構成は、電子ペーパ１２への属性情報の記録方式に応じた構成を採用すればよく、例えば属性情報が一次元或いは二次元のバーコードとして電子ペーパ１２に記録される場合には、記録されているバーコードを読み取って属性情報等を復号化するバーコードリーダを含んで構成することができ、属性情報等が文字として電子ペーパ１２に記録される場合には、電子ペーパ１２を光学的に読み取ることで得られた画像データから電子ペーパ１２に記録されている文字に相当する領域を抽出し、抽出した領域の画像データを用いて文字認識を行うことで属性情報等を認識する構成を採用することができ、電子ペーパ１２に付加されたＩＣチップに属性情報等が記録されている場合には、前記ＩＣチップから属性情報等を読み出す構成を採用することができる。なお、ＩＣチップからの情報の読出方式としても、非接触方式及び接触方式の何れを用いてもよい。
【００４７】
また、制御部２２には、電子ペーパ１２の表面を清掃する機能を有するクリーニング部２８が接続されている。本実施形態に係る電子ペーパ１２には、表面に付着した汚れ・塵埃等の除去や表面に手書きで記入された内容の消去を容易にするために、表面にコーティングが形成されており、クリーニング部２８による清掃方法としては、例えば電子ペーパ１２表面のコーティング上を洗浄液を使って洗浄する清掃方法等を採用することができる。また、電子ペーパ１２の表面に顕著な汚れ・塵埃等が付着した場合に備え、クリーニング部２８は、電子ペーパ１２の表面のコーティングを一旦剥離した後に、電子ペーパ１２の表面に再度コーティングを形成させる清掃方法を実施する機能も備えていることが好ましい。
【００４８】
また、制御部２２にはインタフェース（Ｉ／Ｆ）部３２が接続されている。Ｉ／Ｆ部３２は、ＬＣＤ等から成り任意の情報を表示可能なディスプレイと、複数個のキーを含んで構成された操作パネルを含んで構成されている。なお、属性情報が電子ペーパ１２に文字として記録される場合、属性情報を読み取る機能を読取部２６に搭載することに代えて、電子ペーパ１２に記録された属性情報を表す文字をユーザに読み取らせ、Ｉ／Ｆ部３２の操作パネルを介して入力させるようにしてもよい。
【００４９】
更に、制御部２２には通信制御部３４が接続されている。通信制御部３４は例えばインターネット等から成る通信網３６に接続されている。一方、この通信網３６には管理センタ３８の管理サーバ４０が接続されており、通信網３６に接続された多数台の電子ペーパ管理装置１０（図１は図面の錯綜を避けるため単一の電子ペーパ管理装置１０のみ図示）は通信網３６を介して管理サーバ４０と各々通信可能とされている。管理サーバ４０には、例えばＨＤＤ（ハードディスクドライブ）等から成る大容量の記憶媒体４２が接続されており、この記憶媒体４２には、電子ペーパ管理装置１０によって文書が書き込まれた電子ペーパ１２を、個々の電子ペーパ１２を単位として管理するための管理ＤＢ（データベース）４４が記憶されている。
【００５０】
次に本第１実施形態の作用として、電子ペーパ管理装置１０の制御部２２によって実行される文書書込処理について、図２のフローチャートを参照して説明する。なお、この文書書込処理は、特定の電子ペーパ１２への特定文書の書き込みを所望しているユーザにより、前記特定の電子ペーパ１２が書込対象の電子ペーパ１２として電子ペーパ管理装置１０の機体内へ挿入されると共に、書込対象の電子ペーパ１２へ書き込むべき文書（書込対象の文書）がＩ／Ｆ部３２を介してユーザによって指定されると、制御部２２のＣＰＵによって文書書込プログラムが実行されることで実現される。
【００５１】
ステップ１００では、ユーザから書込対象として指定された文書の文書情報を文書メモリ２０から取り込み、該文書情報が表す文書を書込対象の電子ペーパ１２に書き込むにあたっての書込条件を決定する。なお、書込条件は書込イメージのサイズ（書込文書の拡大縮小率）、電子ペーパ１２上の書込位置、書込イメージ内の書込文書の配置（例えば書込文書の複数頁を書込イメージ内に配置するＮアップ等を行うか否か）、書込解像度等のパラメータから成り、書込条件の決定は、書込対象の文書情報を解析し書込対象の電子ペーパのサイズ等も考慮して上記各パラメータの値を設定することによって為される。なお、書込条件もＩ／Ｆ部３２を介してユーザによって指定されるようにしてもよい。
【００５２】
ステップ１０２では、読取部２６に対して書込対象の電子ペーパ１２からの管理情報の読み出しを指示し、読取部２６が書込対象の電子ペーパ１２から管理情報を読み出すことで読取部２６から出力された管理情報を取り込む。次のステップ１０４では、読取部２６より取り込んだ管理情報に含まれる書込対象の電子ペーパ１２の個体番号を前記管理情報から抽出する。そしてステップ１０６では、ステップ１００で取り込んだ文書情報を書込対象の電子ペーパ１２に書き込むことを前提として、ステップ１０４で抽出した書込対象の電子ペーパ１２の個体番号及びステップ１００で取り込んだ文書情報を管理センタ３８の管理サーバ４０へ送信することで、管理ＤＢ４４への文書の登録を管理センタ３８に要請する。
【００５３】
管理センタ３８の管理サーバ４０では、図３に示す文書管理処理を常時実行している。文書管理処理では、ステップ１５０において、任意の電子ペーパ管理装置１０から何らかの情報を受信したか否か判定し、判定が肯定される迄ステップ１５０の判定を繰り返す。電子ペーパ管理装置１０から何らかの情報を受信すると、ステップ１５０の判定が肯定されてステップ１５２へ移行する。
【００５４】
管理センタ３８の記憶媒体４２に記憶されている管理ＤＢ４４は、例として次の表１に示すように、個々の電子ペーパ毎に、個体番号及び文書管理番号を記憶するためのエリアが各々設けられると共に、文書情報を複数記憶するためのエリアが別途設けられて構成されている。
【００５５】
【表１】
2004234050.tif 000003
【００５６】
なお表１において、文書管理番号は、管理ＤＢ４４に記憶されている個々の文書情報を識別するために管理センタ３８の管理サーバ４０によって設定される番号であり、表１に示す管理ＤＢ４４では、個々の電子ペーパ１２に書き込まれている文書に対応する文書管理番号が、個々の電子ペーパ１２の個体番号と対応付けされて登録されるようになっている。
【００５７】
本実施形態に係る管理サーバ４０は、電子ペーパ管理装置１０からの依頼に応じて管理ＤＢ４４を更新する。本実施形態において、電子ペーパ管理装置１０から管理サーバ４０への依頼には、文書の登録、登録文書の取り出し、登録文書の追加、登録文書の抹消の４つがあり、ステップ１５２〜１５６では、電子ペーパ管理装置から受信した情報が表す依頼が、上記４種類の依頼の何れに相当するかを判定する。
【００５８】
先に説明したように、電子ペーパ管理装置１０からの依頼が文書の登録であった場合には、ステップ１５２の判定が肯定されてステップ１５８へ移行し、ステップ１５８以降の処理が行われる。すなわち、ステップ１５８では電子ペーパ管理装置１０から受信した個体番号をキーにして管理ＤＢ４４を検索し、次のステップ１６０では、検索を行った個体番号が管理ＤＢ４４に登録されているか否か判定する。
【００５９】
書込対象の電子ペーパ１２が、過去に文書の書き込みが行われたことのない電子ペーパである等の場合には、管理ＤＢ４４に個体番号等が登録されていないので、ステップ１６０の判定が否定されてステップ１６２へ移行し、電子ペーパ管理装置１０から受信した書込対象の文書情報を管理ＤＢ４４に登録されている各文書情報と各々比較することで、書込対象の文書情報を検索し、次のステップ１６４において、書込対象の文書情報が管理ＤＢ４４に既に登録されているか否か判定する。
【００６０】
書込対象の文書が、書込対象の電子ペーパ１２以外の他の電子ペーパ１２には書き込まれていない文書である場合には、ステップ１６４の判定も否定される。
この場合は受信した個体番号・書込対象の文書情報の何れも管理ＤＢ４４に登録されていないので、ステップ１６６において、書込対象の文書情報を管理ＤＢ４４に新規に登録すると共に、該文書情報に文書管理番号を設定し、受信した個体番号を設定した文書管理番号と対応付けて管理ＤＢ４４に新規に登録し、ステップ１５０に戻る。これにより、個体番号は書込対象の文書情報と文書管理番号を介して対応付けされることになる。
【００６１】
また、書込対象の文書情報が管理ＤＢ４４に既に登録されている場合（書込対象の文書が他の電子ペーパ１２に書き込まれている文書である場合）には、ステップ１６４の判定が肯定されてステップ１６８へ移行し、受信した個体番号を書込対象の文書情報に対して既に設定されている文書管理番号と対応付けて管理ＤＢ４４に新規に登録し、ステップ１５０に戻る。これにより、同一の文書情報が管理ＤＢ４４に多重に登録されることが防止されるので、文書情報を記憶することで管理ＤＢ４４を記憶する記憶媒体４２の記憶容量が必要以上に圧迫されることを回避することができる。
【００６２】
一方、書込対象の電子ペーパ１２が、過去に文書の書き込みが行われたことのある電子ペーパである場合には、ステップ１６０の判定が肯定されてステップ１７０へ移行し、受信した個体番号（書込対象の電子ペーパ１２の個体番号）と対応付けされて管理ＤＢ４４に登録されている文書管理番号を読み出し、同一の文書管理番号と対応付けされて管理ＤＢ４４に登録された他の個体番号が存在しているか否か検索する。
【００６３】
ステップ１７０の判定が否定された場合には、書込対象の電子ペーパ１２に書き込まれていた文書は他の文書には書き込まれていないので、ステップ１７２へ移行し、先に読み出した文書管理番号が設定された文書情報を管理ＤＢ４４から抹消し、ステップ１７６へ移行する。ステップ１７０の判定が肯定された場合には、書込対象の電子ペーパ１２に書き込まれていた文書は、抽出された個体番号が付与されている他の電子ペーパ１２にも書き込まれているので、ステップ１７４へ移行し、管理ＤＢ４４からの文書情報の抹消は行わず、受信した個体番号と対応付けされて管理ＤＢ４４に登録されている文書管理番号の抹消のみを行うことで、受信した個体番号と該個体番号に対応付けられていた文書情報との対応関係の抹消のみを行い、ステップ１７６へ移行する。
【００６４】
次のステップ１７６では、受信した書込対象の文書情報を管理ＤＢ４４に登録されている各文書情報と各々比較することで、書込対象の文書情報を検索し、次のステップ１７８において、書込対象の文書情報が管理ＤＢ４４に既に登録されているか否か判定する。ステップ１７８の判定が否定された場合は、受信した個体番号は管理ＤＢ４４に登録されているものの、書込対象の文書情報は管理ＤＢ４４に登録されていないので、ステップ１８０において、書込対象の文書情報を管理ＤＢ４４に新規に登録すると共に、該文書情報に文書管理番号を設定し、設定した文書管理番号を既に登録されている個体番号と対応付けて管理ＤＢ４４に登録した後に、ステップ１５０に戻る。
【００６５】
また、ステップ１７８の判定が肯定された場合は、受信した個体番号及び書込対象の文書情報の何れも管理ＤＢ４４に登録されているので、ステップ１８２へ移行し、ステップ１７６の検索によって抽出された文書情報に設定されている文書管理番号を、ステップ１５８の検索によって抽出された個体番号と対応付けて管理ＤＢ４４に登録した後に、ステップ１５０に戻る。上述した処理により、電子ペーパ管理装置１０から受信した個体番号と書込対象の文書情報が、管理ＤＢ４４上で対応付けされることになる。
【００６６】
一方、電子ペーパ管理装置１０では、文書書込処理（図２）のステップ１０６で管理ＤＢ４４への文書の登録を管理センタ３８に要請すると、次のステップ１０８において、ステップ１００で決定した書込条件に従い、書込対象の文書情報をビットマップデータに展開することで、書込対象の電子ペーパ１２に書込対象の文書を書き込むための書込イメージを作成する。
【００６７】
次のステップ１１０では書込対象の電子ペーパ１２の向きを検知する。本実施形態に係る電子ペーパ１２は、電子ペーパ１２の向きを容易に検知可能に構成されている。すなわち、先にも説明したように、電子ペーパ１２には管理情報や書込履歴情報の属性情報等が光学的に記録されるか、又は電子ペーパ１２に付加されたＩＣチップに記録されるが、属性情報が電子ペーパ１２に光学的に記録される（文字やバーコードとして記録される）場合には、例として図４（Ａ）に情報記録部と表記して示すように、電子ペーパ１２の中央に対してオフセットした位置（電子ペーパ１２への文書書込範囲外に相当する特定の角部近傍）に属性情報が記録される。
【００６８】
属性情報が電子ペーパ１２に上記のように記録される場合、読取部２６による書込対象の電子ペーパ１２からの管理情報の読み出しに際し、書込対象の電子ペーパ１２上での属性情報（管理情報）の記録位置が探索されることになるので、ステップ１１０において、書込対象の電子ペーパ１２からの管理情報の読み出しを行った読取部２６に対し、書込対象の電子ペーパ１２上での属性情報（管理情報）の記録位置を問い合わせ、読取部２６から通知された書込対象の電子ペーパ１２上での属性情報（管理情報）の記録位置に基づいて、書込対象の電子ペーパ１２の向きを検知することができる。
【００６９】
なお、電子ペーパ１２に付加されたＩＣチップに属性情報が記録される場合、電子ペーパ１２の向きを容易に検知可能とすることは、例えば図４（Ｂ）に示すように、電子ペーパ１２の中央に対してオフセットした位置（電子ペーパ１２への文書書込範囲外に相当する位置）に電子ペーパ１２の向きを表すマーク（図４（Ｂ）では「向き表示マーク」と表記）を予め記録しておくことで実現できる。この場合は、書込対象の電子ペーパ１２上でのマークの記録位置に基づいて、書込対象の電子ペーパ１２の向きを検知することができる。
【００７０】
ステップ１１２では、ステップ１１０で検知した書込対象の電子ペーパ１２の向きを基準としたときの書込対象の文書の向きを表す方向情報を設定し、設定した方向情報に書込対象の電子ペーパ１２の個体番号及びステップ１００で決定した書込条件を表す書込条件情報を加えることで、書込対象の電子ペーパ１２に書き込むべき管理情報を作成する。また、ステップ１１４では、読取部２６に対して書込対象の電子ペーパ１２からの書込履歴情報の読み出しを指示し、書込対象の電子ペーパ１２から読み出された書込履歴情報を読取部２６から取り込む。
【００７１】
ところで、本実施形態では電子ペーパ１２に書き込まれた文書の仕上がりの変動を抑制するために書込イメージを補正するキャリブレーションを行う。このキャリブレーションは、電子ペーパ１２の特性に応じて定めたキャリブレーションデータを用いて行われるが、電子ペーパ１２は、文書（画像）を繰り返し書き込むと書込回数に応じて特性が変化するという特徴を有しており、電子ペーパ１２の特性変化に伴ってキャリブレーションの精度が低下するという問題がある。
【００７２】
このため、ステップ１１４で取り込んだ書込履歴情報には、書込対象の電子ペーパ１２が製造されてからの文書書込回数の累積値に相当する累積書込回数が含まれており（この累積書込回数は、製造時に「０」に初期設定され、電子ペーパ１２に文書が書き込まれる毎に更新される）、次のステップ１１６では、書込対象の電子ペーパ１２から読み出された書込履歴情報に含まれる累積書込回数等に基づいて、キャリブレーションデータの更新が必要か否か判定する。
【００７３】
本実施形態では、書込対象の電子ペーパ１２の特性変化に伴う書込文書の仕上がりの変動を抑制するために、電子ペーパ１２に文書が所定回書き込まれる毎にステップ１１６の判定が肯定されてステップ１１８へ移行し、キャリブレーションデータを新たに導出し、新たに導出したキャリブレーションデータを用いて書込イメージを補正するキャリブレーション処理を行う。
【００７４】
具体的には、例えば図５（Ａ）に示すように、色が同一（例えばグレイ）で濃度が互いに異なる複数個のパッチ（濃度＝ｄ１，ｄ２，ｄ３，ｄ４の４個のパッチ）から成る単位パターンが、図５（Ｂ）に示すように電子ペーパ１２の文書書込範囲の全面に亘って略均一に分布するテストパターン画像を、記録部２４によって書込対象の電子ペーパ１２に書き込み、次に、書込対象の電子ペーパ１２に記録されたテストパターン画像を読取部２６によって読み取る。なお、読取対象の電子ペーパ１２に記録されたテストパターン画像は、読取対象の電子ペーパ１２の特性に応じて、例えばテストパターン画像の記録位置が所期の記録位置に対してずれていたり、テストパターン画像の階調が部分的にばらついている等のように、読取対象の電子ペーパ１２の特性の影響を受けて仕上がりが変動している可能性がある。
【００７５】
このため、テストパターン画像が読取部２６によって読み取られることで得られた画像データに基づき、該画像データを解析することで、書込対象の電子ペーパ１２に記録されたテストパターン画像の仕上がり（例えば画像（個々のパッチの）記録位置、階調（個々のパッチの濃度）の部分的なばらつき等）を表す物理量を演算し、演算した物理量の値を、テストパターン画像が所期の仕上がりである場合の前記物理量の値と比較することで、書込対象の電子ペーパ１２にテストパターン画像やその他の文書（画像）を記録した際に所期の仕上がりを得るためのキャリブレーションデータを導出する。
【００７６】
そしてステップ１１８では、上記の処理によって導出されたペーパキャリブレーションデータに基づき、書込対象の電子ペーパ１２に書込対象の文書を書き込んだときに、書込対象の電子ペーパ１２上で書込対象の文書が所期の仕上がりとなるように書込イメージを補正する。なお、キャリブレーションデータは例えば書込履歴情報として電子ペーパ１２に記録しておく（キャリブレーションデータを新規に導出した場合には、書込履歴情報に含まれる以前のキャリブレーションデータを新たなキャリブレーションデータで上書きする）ことができるが、これに代えて管理センタ３８の管理ＤＢ４４に登録しておくようにしてもよい。
【００７７】
一方、ステップ１１６でキャリブレーションデータの更新は不要と判断された場合には、ステップ１２０において、書込履歴情報からキャリブレーションデータを抽出し（キャリブレーションデータが管理センタ３８の管理ＤＢ４４に登録される場合には、管理センタ３８からキャリブレーションデータを入手し）、該キャリブレーションデータに基づき、書込対象の電子ペーパ１２に書込対象の文書を書き込んだときに、書込対象の電子ペーパ１２上で書込対象の文書が所期の仕上がりとなるように書込イメージを補正する。上記のステップ１１８又はステップ１２０のキャリブレーションにより、書込対象の電子ペーパ１２に書き込んだ書込対象の文書の仕上がりの変動を抑制することができる。
【００７８】
次のステップ１２２では、書込対象の電子ペーパ１２のクリーニング（表面の清掃）が必要か否か判定する。本実施形態において、電子ペーパ１２のクリーニングは、例えば前回クリーニングを行ってからの文書書込回数の累積値が所定値に達した場合や、書込対象の電子ペーパ１２が手書きでの記入がされた状態となっており、かつ手書きでの記入内容と無関係な文書を書込対象の電子ペーパ１２に書き込む場合に必要と判断される。上記判定が否定された場合は何ら処理を行うことなくステップ１２６へ移行するが、ステップ１２２の判定が肯定された場合はステップ１２４へ移行し、書込対象の電子ペーパ１２の表面をクリーニング部２８によって清掃させる。
【００７９】
ステップ１２６では、ステップ１１４で書込対象の電子ペーパ１２から読み出した書込履歴情報のうちの累積書込回数を更新する。すなわち、キャリブレーションデータを新たに導出する処理を行わなかった場合には、書込対象の電子ペーパ１２に書込対象の文書をこれから書き込むために、累積書込回数を１だけインクリメントし、キャリブレーションの導出も行った場合には、書込対象の電子ペーパ１２へのテストパターン画像の書き込みも行われているので、累積書込回数を２だけインクリメントする。
【００８０】
ステップ１２８では、書込対象の電子ペーパ１２に現在書き込まれている文書（画像）を記録部２４によって消去し、次のステップ１３０において、キャリブレーションを経た書込イメージを用い、記録部２４により書込対象の電子ペーパ１２に書込対象の文書を書き込む。また、ステップ１３２では記録部２４により、ステップ１１２で作成した管理情報及びステップ１２６で更新した書込履歴情報を書込対象の電子ペーパに書き込み、文書書込処理を終了する。
【００８１】
ところで、本実施形態に係る電子ペーパ１２は、紙に代わる媒体として利用可能なように、上記のようにして書込対象の文書が書き込まれた後でも、紙等と同様に手書きで文字等を追記可能とされている。なお、本第１実施形態では、手書きによる電子ペーパ１２への記入（追記）に用いるためのペン（手書き用ペン）が用意されており、ユーザは手書き用ペンを用いて電子ペーパ１２への記入（追記）を行う。
【００８２】
なお、手書き用ペンはインクを電子ペーパ１２に付着させて記入する構成であり、手書き用ペンのインクは、一例として図７（Ａ）に一点鎖線で示すような分光反射率特性を有している。すなわち、本実施形態に係る電子ペーパ１２は、文書が書き込まれた部分（文書の書き込みにより濃度が変化した部分、例えば文字から成る文書における文字に相当する部分：以下、このような部分を「画像記録部分」と称する）の光反射率が、少なくとも可視域を含む所定の波長域に亘り、文書が書き込まれていない部分（文書の書き込みに拘らず濃度が変化しなかった部分、例えば文字から成る文書における文字以外の部分（背景に相当する部分）：以下、このような部分を「非画像部分」と称する）の光反射率と相違する光学特性を有しているが、手書き用ペンのインクは、少なくとも所定の波長域内における光反射率が、画像記録部分の光反射率及び非画像部分の光反射率と各々相違する光学特性を有している。
【００８３】
また、所定の文書が書き込まれている電子ペーパ１２に対し、手書き用ペンを用いて手書きで記入を行ったユーザが、手書きで記入した内容の電子化を所望している場合、該ユーザにより、手書きで記入が行われた電子ペーパ１２が電子ペーパ管理装置１０の機体内へ挿入されると共に、挿入された電子ペーパ１２に手書きで記入された内容の読み取りが指示される。これにより、制御部２２のＣＰＵによって手書き内容読取プログラムが実行され、図６に示す手書き内容読取処理が制御部２２によって行われる。
【００８４】
手書き内容読取処理では、まずステップ２２０において、電子ペーパ管理装置１０の機体内へ挿入された電子ペーパ１２（読取対象の電子ペーパ１２）からの管理情報の読み出しを読取部２６に指示し、読取対象の電子ペーパ１２から管理情報が読み出されることで読取部２６から出力された管理情報を取り込む。またステップ２２２では、読取部２６より取り込んだ管理情報に含まれる書込条件情報を前記管理情報から抽出する。
【００８５】
また、ステップ２２４では読取対象の電子ペーパ１２の向きを検知する。読取対象の電子ペーパ１２の向きは、管理情報を含む属性情報が電子ペーパ１２の中央に対してオフセットした位置に光学的に記録される場合には、読取部２６に対して読取対象の電子ペーパ１２上での属性情報（管理情報）の記録位置を問い合わせ、通知された読取対象の電子ペーパ１２上での属性情報（管理情報）の記録位置に基づいて検知することができる。また、電子ペーパ１２の中央に対してオフセットした位置に向き表示マーク（図４（Ｂ）参照）が予め記録されている場合には、読取対象の電子ペーパ１２上でのマークの記録位置に基づいて検知することも可能である。
【００８６】
ステップ２２６では、ステップ２２０で読取対象の電子ペーパ１２から読み出した管理情報から、電子ペーパ１２の向きを基準としたときの書込文書の向きを表す方向情報を抽出する。またステップ２２８では、ステップ２２４で検知した読取対象の電子ペーパの向きと、ステップ２２６で抽出した方向情報に基づいて、読取対象の電子ペーパ１２に書き込まれている文書の向きを認識する。そしてステップ２３０では、ステップ２２８で認識した文書の向きと、読取対象の電子ペーパ１２の読取部２６による読取方向との関係に基づいて、手書きで記入された内容を表す画像データ（手書きイメージ：本発明に係る第２の画像データに相当）に対する補正処理のパラメータを設定する。
【００８７】
本第１実施形態において、上記の手書きイメージは、読取部２６が読取対象の電子ペーパ１２を読み取ることで得られる画像データ（読取イメージ）から分離・抽出されるが（詳細は後述）、本実施形態では、分離・抽出された手書きイメージを、読取対象の電子ペーパ１２に書き込まれている文書の書込イメージと単に重ね合わせることで、文書と手書き内容が重ね合わされた合成文書を電子ペーパ１２に書き込むための書込イメージを生成できるように、分離・抽出された手書きイメージに対して回転処理、ページ分割処理、拡大縮小処理等の補正処理が行われる。なお、上述したステップ２２４〜ステップ２３０は請求項８に記載の検知手段に対応している。
ステップ２３０では、書込文書の向きと読取部２６による読取方向の関係に基づいて回転処理におけるパラメータ（例えば回転方向や回転量等）を設定すると共に、読取対象の電子ペーパ１２に複数頁分の文書が書き込まれている場合（例えばＮアップ等）には、ページ分割処理におけるパラメータ（例えば分割数や分割の境界位置等）を設定し、更に、拡大縮小処理におけるパラメータ（例えば拡大縮小率）を設定する。なお、手書きイメージには、上述した補正処理以外に、光学式文字読取装置（ＯＣＲ：Ｏｐｔｉｃａｌ  Ｃｈａｒａｃｔｅｒ  Ｒｅａｄｅｒ）等で周知の補正処理（例えばゴミ等である可能性が高い画像中の孤立している点を除去する孤立点除去処理や、太さの細い線の途切れやかすれを防止するために線の太さを一旦太くした後に細くする細線処理等）も行われるが、ステップ２３０ではこれらの補正処理のパラメータも併せて設定される。
【００８８】
補正処理のパラメータの設定が完了すると、次のステップ２３２で読取対象の電子ペーパ１２を読取部２６によって読み取らせる。なお、本第１実施形態に係る読取部２６は、図７（Ｂ）に「ＣＨ１」と表記して示すように、電子ペーパ１２の画像記録部分の光反射率、非画像部分の光反射率、手書き用ペンのインクの光反射率が互いに相違している第１の波長域にのみ感度を有する分光感度特性のセンサを用いて読み取りを行う。なお、ステップ２３２は、実際に電子ペーパ１２の読み取りを行う読取部２６と共に、請求項１に記載の読取手段に対応している。次のステップ２３４以降では、読取部２６による読み取りによって得られた読取イメージから手書きイメージ（手書き内容を表す画像データ）を分離する処理を行う。
【００８９】
すなわち、ステップ２３４ではステップ２２０で読取対象の電子ペーパ１２から読み出した管理情報から、読取対象の電子ペーパ１２の個体番号を抽出する。
なお、管理情報に含まれる読取対象の電子ペーパ１２の個体番号は、請求項３に記載の識別情報に対応している。また、ステップ２３６では、ステップ２３４で抽出した読取対象の電子ペーパ１２の個体番号を管理センタ３８の管理サーバ４０へ送信することで、前記個体番号と対応付けて管理ＤＢ４４に登録されている文書情報（読取対象の電子ペーパ１２に書き込まれている文書の文書情報）の取り出しを管理センタ３８に要請する。ステップ２３８では管理センタ３８から文書情報を受信したか否か判定し、判定が肯定される迄待機する。なお、ステップ２３２〜ステップ２３８は請求項１に記載の認識手段（詳しくは請求項２に記載の認識手段）に対応している。
【００９０】
管理センタ３８の管理サーバ４０では、電子ペーパ管理装置１０から文書情報の取り出しが要請されると、文書管理処理（図３）のステップ１５０の判定が肯定され、ステップ１５２，１５４の判定が否定されると共に、ステップ１５６の判定が肯定されてステップ１８４へ移行し、電子ペーパ管理装置１０から受信した個体番号をキーにして管理ＤＢ４４を検索し、次のステップ１８６において、検索を行った個体番号が管理ＤＢ４４に登録されているか否か判定する。
【００９１】
判定が否定された場合にはステップ１９０へ移行し、個体情報送信元の電子ペーパ管理装置１０にエラー応答を返すが、ステップ１８６の判定が肯定された場合にはステップ１８８へ移行し、検索によって抽出された個体番号と対応づけられて管理ＤＢ４４に登録されている文書情報を管理ＤＢ４４から読み出し、個体情報送信元の電子ペーパ管理装置１０へ送信した後にステップ１５０に戻る。
【００９２】
電子ペーパ管理装置１０側では、管理サーバ４０から文書情報を受信すると、手書き内容読取処理（図６）のステップ２３８の判定が肯定されてステップ２４０へ移行し、ステップ２２２で管理情報から抽出した書込条件情報が表す書込条件及びステップ２２８で認識した文書の向きに基づいて、管理サーバ４０から受信した文書情報をビットマップデータへ展開することで、先のステップ２３２の電子ペーパ１２の読み取りによって得られた読取イメージ上で、文書情報が表す文書がどのように表示されているかを表す文書情報の表示イメージを作成する。
【００９３】
ステップ２４２では、ステップ２４０で作成した文書情報の表示イメージから画像記録部分に相当する単一の画素のデータを取り出すと共に、処理対象の画素のデータとして、読取イメージから対応する画素のデータを取り出し、取り出した双方の画素のデータが表す双方の画素の濃度を比較し、次のステップ２４４において、双方の画素の濃度差が所定値以上か否か判定する。
【００９４】
図７（Ｂ）に「ＣＨ１」と表記して示すように、本第１実施形態に係る読取部２６は、電子ペーパ１２の画像記録部分の光反射率、非画像部分の光反射率、手書き用ペンのインクの光反射率が互いに相違している第１の波長域で読み取りを行うので、読取イメージ上の処理対象の画素と文書情報の表示イメージ上の対応する画素の濃度差が所定値未満の場合、読取イメージ上の処理対象の画素は、手書き用ペンのインクが付着していない部分に相当する画素であると判断できる。
このため、ステップ２４４の判定が否定された場合はステップ２４６へ移行し、読取イメージ上の処理対象の画素の濃度値を、非画像部分に相当する濃度値へ置換した後にステップ２４８へ移行する。
【００９５】
一方、読取イメージ上の処理対象の画素と文書情報の表示イメージ上の対応する画素の濃度差が所定値以上の場合、読取イメージ上の処理対象の画素は、手書きによる記入箇所（手書き用ペンのインクが付着している箇所）に相当する画素であり、当該画素の濃度を上記のように非画像部分に相当する濃度値へ置換すると、ユーザにより手書きによって記入された内容が読取イメージ上が消去されてしまうと判断できる。このため、ステップ２４４の判定が肯定された場合は何ら処理を行うことなくステップ２４８へ移行する。
【００９６】
ステップ２４８では、文書情報の表示イメージのうち画像記録部分に相当する全ての画素に対してステップ２４２以降の処理を行ったか否か判定する。判定が否定された場合にはステップ２４２に戻り、ステップ２４８の判定が肯定される迄ステップ２４２〜ステップ２４８を繰り返す。これにより、読取対象の電子ペーパ１２を読み取ることで得られた読取イメージのうち、画像記録部分に相当しかつ手書き用ペンのインクが付着していない箇所に相当する部分が消去されることで、手書きイメージ（手書きによる記入内容を表すビットマップ画像データ）が読取イメージから分離・抽出されることになる。
【００９７】
上述したステップ２４０〜ステップ２４８は請求項１に記載の抽出手段（詳しくは請求項２〜４に記載の抽出手段）に対応しており、ステップ２４０で作成される文書情報の表示イメージは、請求項２に記載の「読取手段による読取結果上での第１の画像を推定し」た結果に対応している。
【００９８】
なお、読取イメージからの手書きイメージの分離・抽出は、上記のように読取イメージ上での濃度と文書情報の表示イメージ上での濃度を比較して行うことに限られるものではなく、例えば電子ペーパ１２に書き込まれている文書が、文字から成る文書のような２値画像である場合には、例として図８に示すように、文書情報の表示イメージの濃度ヒストグラムを作成し、作成した濃度ヒストグラムにおける裾野に相当する部分を除外した濃度範囲を設定し、読取イメージの各画素のうち濃度が設定した濃度範囲内の画素についてのみ、濃度を非画像部分の濃度へ置き換えることで行うことも可能である。
【００９９】
また、読取対象の電子ペーパ１２の位置精度（詳しくは読取部２６を基準とする読取対象の電子ペーパ１２の位置の精度）が十分でない場合には、例えば読取イメージ及び文書情報の表示イメージを、各々縦方向に短冊状の複数ブロックに分割すると共に、横方向に短冊状の複数ブロックに分割し、各ブロック毎に、イメージ中のエッジ部のうちブロックの端部迄の距離（縦方向に分割したブロックについては縦方向の距離、横方向に分割したブロックについては横方向の距離）が最短のエッジ部を抽出し、抽出したエッジ部とブロックの端部迄の距離を対応するブロック対毎に比較し、距離の差が少ないブロック対（手書きで記入された内容の影響が少ないと推定されるブロック対）における距離差を縦方向／横方向の位置ずれ量として用いて（複数のブロック対における距離差の平均値、中央値等を用いてもよい）、読取イメージと文書情報の表示イメージの対応する画素を判断するようにしてもよい。
【０１００】
ステップ２４８の判定が肯定されるとステップ２５０へ移行し、読取イメージから分離・抽出された手書きイメージに対し、先のステップ２３０で設定したパラメータに従って補正処理（回転処理、ページ分割処理、拡大縮小処理、孤立点除去処理、細線処理等）を行う。なお、このステップ２５０（詳しくはステップ２５０で行われる各種補正処理のうちの回転処理）は請求項８に記載の管理手段の一部を構成している。そしてステップ２５２では、補正処理を経た手書きイメージを、ステップ２３４で抽出した読取対象の電子ペーパ１２の個体番号と共に管理センタ３８の管理サーバ４０へ送信することで、管理ＤＢ４４への手書きイメージの追加登録を管理センタ３８に要請し、手書き内容読取処理を終了する。
【０１０１】
管理センタ３８の管理サーバ４０では、電子ペーパ管理装置１０から手書きイメージの追加登録が要請されると、文書管理処理（図３）のステップ１５０の判定が肯定され、ステップ１５２の判定が否定されると共にステップ１５４の判定が肯定されてステップ１９２へ移行し、電子ペーパ管理装置１０から受信した個体番号をキーにして管理ＤＢ４４を検索し、次のステップ１９４において、検索を行った個体番号が管理ＤＢ４４に登録されているか否か判定する。
【０１０２】
判定が否定された場合にはステップ１９０へ移行し、情報送信元の電子ペーパ管理装置１０にエラー応答を返すが、ステップ１９４の判定が肯定された場合にはステップ１９６へ移行し、検索によって抽出された個体番号と対応づけられて管理ＤＢ４４に登録されている文書情報を管理ＤＢ４４から読み出し、読み出した文書情報に電子ペーパ管理装置１０から受信した手書きイメージを付加することで、対応する電子ペーパ１２に書き込まれている文書及び手書きで記入されている内容を表す文書情報を新規に作成する。そして、次のステップ１９８において、新規に作成した文書情報を検索によって抽出された個体番号と対応付けて管理ＤＢ４４に登録し、ステップ１５０に戻る。
【０１０３】
これにより、電子ペーパ管理装置１０より次に文書情報の取り出しが要請された場合には、手書きイメージが付加された文書情報が管理ＤＢ４４から読み出されて電子ペーパ管理装置１０へ送信されることになり、上記の情報を受信した電子ペーパ管理装置１０において、手書きで記入された内容が消去された電子ペーパ１２に対し、文書情報が表す文書に手書きイメージが表す手書きでの記入内容を合成した画像を書き込むことを容易に行うことができる。このように、管理センタ３８（管理サーバ４０及び記憶媒体４２）は、請求項７に記載の管理手段に対応している。
【０１０４】
なお、電子ペーパ管理装置１０が、電子ペーパ１２に書き込まれた文書（又は当該文書に手書きイメージが表す手書きでの記入内容が合成された画像）を消去する場合には、電子ペーパ管理装置１０から管理センタ３８の管理サーバ４０に対して文書等の消去を行う電子ペーパ１２の個体番号が送信され、管理ＤＢ４４に登録されている対応する文書情報の抹消が要請される。
【０１０５】
この場合には、文書管理処理（図３）のステップ１５０の判定が肯定されると共に、ステップ１５２〜１５６の判定が肯定されてステップ２００へ移行し、電子ペーパ管理装置１０から受信した個体番号をキーにして管理ＤＢ４４を検索し、次のステップ２０２において、検索を行った個体番号が管理ＤＢ４４に登録されているか否か判定する。そして、判定が否定された場合にはステップ２０４へ移行し、情報送信元の電子ペーパ管理装置１０にエラー応答を返すが、ステップ２０２の判定が肯定された場合にはステップ２０６へ移行して文書抹消処理（先に説明したステップ１７０〜１７４と同様の処理）が行われる。
【０１０６】
これにより、管理センタ３８の管理ＤＢ４４は、個々の電子ペーパ１２の個体番号と対応付けて登録されている情報が、個々の電子ペーパ１２に書き込まれている内容と常に一致するように、適宜更新されることになる。
【０１０７】
なお、上記では、例として図７（Ａ）に一点鎖線で示すような分光反射率特性を有するインクを電子ペーパ１２に付着させて記入する構成の手書き用ペンを用いて手書きでの記入がされる場合を説明したが、第１実施形態に係る手書き内容読取処理は、手書きにより記入された部分と画像記録部分の濃度が読取イメージ上で相違していれば、読取イメージから手書きイメージを分離・抽出することが可能であるので、電子ペーパ１２への手書きによる記入に際し、上記の条件を満たす任意の筆記具を用いることが可能である。
【０１０８】
〔第２実施形態〕
次に本発明の第２実施形態について説明する。なお、本第２実施形態は第１実施形態と同一の構成であるので、各部分に同一の符号を付して構成の説明を省略し、以下、本第２実施形態の作用として、本第２実施形態に係る手書き内容読取処理について、図９のフローチャートを参照して説明する。
【０１０９】
ステップ２７０では、読取対象の電子ペーパ１２からの管理情報の読み出しを読取部２６に指示し、読取対象の電子ペーパ１２から管理情報が読み出されることで読取部２６から出力された管理情報を取り込む。また、ステップ２７２では読取対象の電子ペーパ１２から読み出された管理情報に含まれる読取対象の電子ペーパ１２の個体番号を管理情報から抽出する。ステップ２７４では、ステップ２７２で抽出した読取対象の電子ペーパ１２の個体番号を管理センタ３８の管理サーバ４０へ送信することで、前記個体番号と対応付けて管理ＤＢ４４に登録されている文書情報（読取対象の電子ペーパ１２に書き込まれている文書の文書情報）の取り出しを管理センタ３８に要請する。ステップ２７６では管理センタ３８から文書情報を受信したか否か判定し、判定が肯定される迄待機する。
【０１１０】
管理センタ３８の管理サーバ４０から文書情報を受信すると、ステップ２７６の判定が肯定されてステップ２７８へ移行し、読取対象の電子ペーパ１２から読み出された管理情報に含まれる書込条件情報を前記管理情報から抽出する。次のステップ２８０では、第１実施形態に係る手書き内容読取処理（図６）のステップ２２４と同様にして読取対象の電子ペーパ１２の向きを検知する。またステップ２８２では、読取対象の電子ペーパ１２から読み出された管理情報から、電子ペーパ１２の向きを基準としたときの書込文書の向きを表す方向情報を抽出し、次のステップ２８４では、ステップ２８０で検知した読取対象の電子ペーパの向きと、ステップ２８２で抽出した方向情報に基づいて、読取対象の電子ペーパ１２に書き込まれている文書の向きを認識する。
【０１１１】
ステップ２８６では、読取対象の電子ペーパ１２からの書込履歴情報の読み出しを読取部２６に指示し、読取部２６によって読取対象の電子ペーパ１２から読み出された書込履歴情報を取り込む。またステップ２８８では、ステップ２８４で認識した文書の向きと、読取対象の電子ペーパ１２の読取部２６による読取方向との関係に基づいて、第１実施形態に係る手書き内容読取処理（図６）のステップ２３０と同様にして、手書きで記入された内容を表す画像データ（手書きイメージ）に対する補正処理のパラメータを設定する。
【０１１２】
ステップ２９０では、読取対象の電子ペーパ１２に書き込まれている文書を記録部２４によって消去させる。なお、このステップ２９０は請求項５に記載の消去制御手段に対応している。また、ステップ２９２では読取対象の電子ペーパ１２を読取部２６によって読み取らせる。このステップ２９２は、実際に読取対象の電子ペーパ１２の読み取りを行う読取部２６と共に、請求項５に記載の読取手段に対応している。
【０１１３】
このとき、読取対象の電子ペーパ１２は、書き込まれていた文書が消去されることで、手書きによって記入されている内容のみを表示している状態となっているので、第１実施形態に係る手書き内容読取処理（図６）のように、読取イメージからの手書きイメージの分離等の複雑な処理を行うことなく、ステップ２９２で単に読取対象の電子ペーパ１２を読み取ることで、読取対象の電子ペーパ１２に手書きによって記入された内容を表す手書きイメージが得られることになる。
【０１１４】
ステップ２９４では、ステップ２９２の読み取りによって得られた手書きイメージに対し、第１実施形態に係る手書き内容読取処理（図６）のステップ２５０と同様に、先のステップ２８８で設定したパラメータを用いて各種の補正処理を行う。ステップ２９６では、補正処理を経た手書きイメージを、ステップ２７２で抽出した読取対象の電子ペーパ１２の個体番号と共に管理センタ３８の管理サーバ４０へ送信することで、管理ＤＢ４４への手書きイメージの追加登録を管理センタ３８に要請する。これにより、第１実施形態で説明したように、管理センタ３８に送信した手書きイメージが管理ＤＢ４４に追加登録されることになる。
【０１１５】
ステップ２９８では、先のステップ２７８で管理情報から抽出した書込条件情報が表す書込条件、及び、先のステップ２８４で認識した文書の向き（読取対象の電子ペーパ１２に書き込まれていた文書の向き）に従い、管理センタ３８の管理サーバ４０から受信した文書情報をビットマップデータに展開することで、読取対象の電子ペーパ１２に書き込まれていた文書（ステップ２９０で消去した文書）を、読取対象の電子ペーパ１２に再度書き込むための書込イメージを作成する。
【０１１６】
ステップ３００では、書込履歴を更新ステップ２８６で読取対象の電子ペーパ１２から読み出した書込履歴情報のうちの累積書込回数を、文書の再書き込みに備えて１だけインクリメントする。そしてステップ３０２では、ステップ２９８で作成した書込イメージを用い、読取対象の電子ペーパ１２への文書の再書き込みを記録部２４によって行わせる。またステップ３０４では、管理情報及びステップ３００で更新した書込履歴情報を、記録部２４によって読取対象の電子ペーパに書き込ませ、手書き内容読取処理を終了する。
【０１１７】
〔第３実施形態〕
次に本発明の第３実施形態について説明する。なお、第１実施形態及び第２実施形態と同一の部分には同一の符号を付し、説明を省略する。
【０１１８】
本第３実施形態に係る読取部２６は、図７（Ｂ）に「ＣＨ２」と表記して示すように、電子ペーパ１２の画像記録部分と非画像部分の光反射率が略同じで、かつ手書き用ペンのインクの光反射率が電子ペーパ１２の画像記録部分と非画像部分の光反射率と相違している第２の波長域にのみ感度を有する分光感度特性のセンサを用いて読み取りを行うように構成されている。
【０１１９】
次に、本第３実施形態に係る手書き内容読取処理について、図１０のフローチャートを参照して説明する。ステップ３２０では、読取対象の電子ペーパ１２からの管理情報の読み出しを読取部２６に指示し、読取対象の電子ペーパ１２から管理情報が読み出されることで読取部２６から出力された管理情報を取り込む。また、ステップ３２２では読取対象の電子ペーパ１２から読み出された管理情報に含まれる書込条件情報を前記管理情報から抽出する。
【０１２０】
次のステップ３２４〜ステップ３３０では、第１実施形態に係る手書き内容読取処理（図６）のステップ２２４〜ステップ２３０、第２実施形態に係る手書き内容読取処理（図９）のステップ２８０〜ステップ２８４，２８８と同様に、読取対象の電子ペーパ１２の向きを検知し（ステップ３２４）、読取対象の電子ペーパ１２から読み出した管理情報から方向情報を抽出し（ステップ３２６）、読取対象の電子ペーパ１２に書き込まれている文書の向きを認識し（ステップ３２８）、手書きイメージに対する補正処理のパラメータを設定する（ステップ３３０）。
【０１２１】
ステップ３３２では読取対象の電子ペーパ１２を読取部２６によって読み取らせる。なお、このステップ３３２は、読取対象の電子ペーパ１２の読み取りを行う読取Ｂ２６と共に、請求項６に記載の読取手段に対応している。
【０１２２】
前述のように、本第３実施形態に係る読取部２６は、図７（Ｂ）に「ＣＨ２」と表記して示すように、電子ペーパ１２の画像記録部分と非画像部分の光反射率が略同じで、かつ手書き用ペンのインクの光反射率が電子ペーパ１２の画像記録部分と非画像部分の光反射率と相違している第２の波長域で読み取りを行うので、第１実施形態に係る手書き内容読取処理（図６）のように、読取イメージからの手書きイメージの分離等の複雑な処理を行うことなく、ステップ３３２で単に読取対象の電子ペーパ１２を読み取ることで、読取対象の電子ペーパ１２に手書きによって記入された内容を表す手書きイメージが得られることになる。
【０１２３】
ステップ３３４では、ステップ３３２の読み取りによって得られた手書きイメージに対し、第１実施形態に係る手書き内容読取処理（図６）のステップ２５０や第２実施形態に係る手書き内容読取処理（図９）のステップ２９４と同様に、先のステップ３３０で設定したパラメータを用いて各種の補正処理を行う。またステップ３３６では、先のステップ３２０で読取対象の電子ペーパ１２より読み出された管理情報から、読取対象の電子ペーパ１２の個体番号を抽出する。
【０１２４】
そしてステップ３３８では、補正処理を経た手書きイメージを、ステップ３３６で抽出した読取対象の電子ペーパ１２の個体番号と共に管理センタ３８の管理サーバ４０へ送信することで、管理ＤＢ４４への手書きイメージの追加登録を管理センタ３８に要請する。これにより、管理センタ３８に送信した手書きイメージが管理ＤＢ４４に追加登録される。
【０１２５】
なお、上記では文書情報が表す文書と手書きイメージが表す手書き内容を電子ペーパ１２に書き込む場合に両者の向きを揃えるために、予め回転処理を行った手書きイメージを管理ＤＢ４４に登録する例を説明したが、これに代えて、電子ペーパ１２に書き込まれている文書の向きと、電子ペーパ１２に手書きで記入された内容の向きの関係を表す情報を手書きイメージと共に管理ＤＢ４４に登録しておき、文書情報が表す文書と手書きイメージが表す手書き内容を電子ペーパ１２に書き込む際に、上記の情報に基づき手書きイメージに対して回転処理を行うようにしてもよい。請求項８記載の発明は上記の態様も含むものである。
【０１２６】
また、上記では電子ペーパ１２に手書きで記入された内容を表す手書きイメージ（が付加された文書情報）を、管理センタ３８において、個々の電子ペーパ１２の個体番号と対応付けて管理する例を説明したが、本発明はこれに限定されるものではなく、個々の電子ペーパ１２の識別情報と個々の電子ペーパ１２に対応する手書きイメージや文書情報を対応付けて記憶・管理することを、電子ペーパ管理装置１０で行うようにしてもよい。また、個々の電子ペーパ１２に大容量のＩＣチップが付加されている等の場合には、個々の電子ペーパ１２に付加されているＩＣチップに手書きイメージや文書情報も記憶させるようにしてもよい。
【０１２７】
また、電子ペーパは、その構成によっても相違するが、文書（画像）を書き込んでから日数が経過すると書き込んだ文書の画質が劣化するという特性を有している。このため、文書を書き込んだ個々の電子ペーパについて、最後に文書を書き込んでからの経過日数が所定値以上となったか否かを判定するか、或いは電子ペーパに書き込まれている文書を光学的に読み取り、読取結果に基づいて文書の画質の劣化度合いが所定値以上か否かを判定し、判定が肯定された場合に電子ペーパに既に書き込まれている文書を再度書き込むリフレッシュ処理を行うようにしてもよい。
【０１２８】
リフレッシュ処理が必要か否かを、最後に文書を書き込んでからの経過日数に基づいて判断する態様において、最後に文書を書き込んだ日時は、例えば電子ペーパへの文書の書き込みを行う毎に、文書書込日時を電子ペーパ又は電子ペーパと別体の記録媒体に記録するように構成し、該文書書込日時を電子ペーパ又は記録媒体から読み出すことで認識することができる。また、この文書書込日時を管理ＤＢ４４に登録しておけば、最後に文書を書き込んでからの経過日数に基づいてリフレッシュ処理が必要か否かを判断することを管理センタ３８で実施し、リフレッシュ処理が必要と判断した電子ペーパが存在していた場合に電子ペーパ管理装置１０側へ通知するように構成することも可能である。
【０１２９】
また、電子ペーパに書き込まれている文書の画質の劣化度合いに基づいて、リフレッシュ処理が必要か否かを判断することは、具体的には、例えば判断対象の電子ペーパ１２に書き込まれている文書に対応する文書情報を管理センタ３８の管理ＤＢから取得し、取得した文書情報と判断対象の電子ペーパ１２から読み出した管理情報に含まれている書込条件情報に基づいて、判断対象の電子ペーパへの文書書込直後に電子ペーパ１２上に表示されていた文書を表す文書イメージを生成すると共に、判断対象の電子ペーパ１２（に書き込まれている文書）を光学的に読み取り、生成した文書イメージが表す文書における濃度（推定値）と読取濃度の差が所定値よりも大きいか否か（例えば光学濃度の差がおよそ０．０１以上の領域の面積が、書き込まれている文書全体の面積に占める割合が所定値を越えているか否か）に基づいて、文書の画質の劣化度合いが所定値以上か否かを判定することで行うことができる。
【０１３０】
そして、上記のような判断を行った結果、リフレッシュ処理が必要と判断した場合には、リフレッシュ処理が必要と判断した電子ペーパに既に書き込まれている文書を前記電子ペーパに再度書き込むリフレッシュ処理を行うことで、電子ペーパに書き込まれている文書の画質を維持することができる。
【０１３１】
【発明の効果】
以上説明したように本発明は、第１の画像を表示している状態で手書きによる記入がされた電子ペーパを光学的に読み取り、第１の画像の認識結果に基づき、手書きにより記入された内容を表す第２の画像の画像データを読取結果から抽出するので、電子ペーパへの手書きでの記入を容易に行うことができ、手書きで記入された内容の電子化を簡易な構成で実現できる、という優れた効果を有する。
【０１３２】
また本発明は、第１の画像を表示している状態で手書きによる記入がされた電子ペーパから第１の画像の表示を消去させ、第１の画像の表示が消去された電子ペーパを光学的に読み取ることで、手書きにより記入された内容を表す第２の画像の画像データを取得するので、電子ペーパへの手書きでの記入を容易に行うことができ、手書きで記入された内容の電子化を簡易な構成で実現できる、という優れた効果を有する。
【０１３３】
また本発明は、第１の画像を表示している状態で、電子ペーパ上の第１の画像が記録された部分と第１の画像が記録されていない部分の反射率又は発光エネルギーの相違が所定値未満となる所定の波長域において電子ペーパと反射率が相違する特性を有するインクを用いて手書きによる記入がされた電子ペーパを、所定の波長域に感度を有するセンサによって光学的に読み取ることで、手書きにより記入された内容を表す第２の画像の画像データを取得するので、電子ペーパへの手書きでの記入を容易に行うことができ、手書きで記入された内容の電子化を簡易な構成で実現できる、という優れた効果を有する。
【図面の簡単な説明】
【図１】本実施形態に係る電子ペーパ管理装置の概略構成を示すブロック図である。
【図２】文書書込処理の内容を示すフローチャートである。
【図３】文書管理処理の内容を示すフローチャートである。
【図４】電子ペーパの向きを検知する方法を説明するためのイメージ図である。
【図５】テストパターンの一例を示すイメージ図である。
【図６】第１実施形態に係る手書き内容読取処理の内容を示すフローチャートである。
【図７】（Ａ）は電子ペーパの画像記録部分／非画像部分及びインクの分光反射率特性の一例を示す線図、（Ｂ）は読取部の分光感度特性の一例を示す線図である。
【図８】文書の表示イメージのヒストグラムの一例を示す線図である。
【図９】第２実施形態に係る手書き内容読取処理の内容を示すフローチャートである。
【図１０】第３実施形態に係る手書き内容読取処理の内容を示すフローチャートである。
【符号の説明】
１０    電子ペーパ管理装置
１２    電子ペーパ
２２    制御部
２４    記録部
２６    読取部
２８    クリーニング部
３６    通信網
３８    管理センタ
４０    管理サーバ
４２    記憶媒体
４４    管理ＤＢ
【図１】
2004234050.tif 000004
【図２】
2004234050.tif 000005
【図３】
2004234050.tif 000006
【図４】
2004234050.tif 000007
【図５】
2004234050.tif 000008
【図６】
2004234050.tif 000009
【図７】
2004234050.tif 000010
【図８】
2004234050.tif 000011
【図９】
2004234050.tif 000012
【図１０】
2004234050.tif 000013